(57)【要約】【課題】空気調和機が運転中に、吸込パネルが閉状態になることにより、運転中にあたかも停止しているかのような状態になることによるユーザーへの違和感を防止する。【解決手段】空気調和機本体に対して開閉自在に設けた吸入グリル１と、空気を吸い込むために吸入グリル１の外側に開閉自在に設けた吸込パネル２と、吸入グリルの開閉状態を検出するための吸入グリル開閉検出手段３と、吸込パネルを開閉するための吸込パネル制御手段４を備え、吸入グリル開閉検出手段３により吸入グリルが開状態から閉状態になったことを検知した時に、吸込パネル制御手段４により吸込パネルを開くように制御することにより、空気調和機が運転中に吸込パネルが閉状態になることを防止する。【選択図】図１
2005257191.tif 000002
【特許請求の範囲】
【請求項１】
空気調和機本体に対して開閉自在に設けられた吸入グリルと、空気を吸い込むためにその吸入グリルの外側に開閉自在に設けられた吸込パネルと、前記吸入グリルの開閉を検出する吸入グリル開閉検出手段と、その吸入グリルの開閉検出手段によって検出された前記吸入グリルの開閉状態に応じて前記吸込パネルを開閉する吸込パネル制御手段を備え、前記吸入グリル開閉検出手段によって前記吸入グリルが開状態から閉状態になったことを検知した時に、前記吸込パネル制御手段により前記吸込パネルを開くように制御することを特徴とした空気調和機。
【発明の詳細な説明】
【技術分野】
【０００１】
本発明は、内外に分離されたセパレートタイプの空気調和機において、室内機の吸込パネルを自動駆動にて開閉する開閉機構に関するものである。
【背景技術】
【０００２】
空気調和機の室内機吸込パネルの果たす役割としては、空気調和機停止時においては意匠性の向上および埃等の内部への侵入防止であり、空気調和機運転時においては空気調和機の性能を最大限に発揮するために、開口を大きくとり、空気吸込の抵抗を最小にすることである。
【０００３】
そのため、近年では空気調和機に設けられた吸込パネルのすべてもしくは一部が自動的に駆動される。つまり停止時においては吸込パネルが閉じられているのに対し、運転時においては吸込パネルが自動的に駆動され、開かれるという開閉機構を有したものが開発され商品化されている。（例えば特許文献１参照）
図３は特許文献１に開示された従来の空気調和機の室内機の構成を示す断面図である。
【０００４】
開閉機構の構造としては図３に示すように、駆動源部３０１は図示しない制御装置から動力と信号が伝えられる為、台枠３０２もしくは熱交換器３０３等に固定されるのが一般的である。そして駆動源部３０１から駆動メカ部３０６を介して吸込パネル３０４へと動力が伝えられることになる。
【０００５】
それに対し吸込パネル３０４は、フィルタ３０８等が配置されている吸入グリル３０５に取り付けられており、運転時には吸込パネル３０４のみが駆動され吸込パネルを確保する仕様となる。その吸込パネル３０４は、吸込空気と触れることで汚れが生じるため、また市場にてサービスを行う可能性が有るために、吸入グリル３０５に対して容易に着脱できる構造になっている必要性がある。そのために吸込パネル３０４を駆動させる駆動メカ部３０６は吸入グリル３０５側に固定されている。
【０００６】
そして、駆動源部３０１と駆動メカ部３０６とは容易に着脱できる必要があるので、吸入グリル３０５側に設けられた駆動メカ部３０６のギヤ構造と、駆動源部３０１に連続して設けられ、駆動メカ部３０６のギヤ構造と噛み合って駆動メカ部３０６を回転させる駆動伝達部３０７のギヤ構造との着脱可能なかん合構造によって、吸込パネル３０４を開閉するための動力伝達メカニズムが構成される。
【０００７】
つまり、空気調和機の運転時において吸込パネル３０４が開かれた状態においては、その吸込パネル３０４は、駆動メカ部３０６及びギヤなどの駆動伝達部３０７を介して、駆動源部３０１が固定されている台枠３０２もしくは熱交換器３０３等に支持されている。
【０００８】
本体側に固定される駆動源部３０１は、その内部に設けられたモータとその動力を拡大するためのギヤとにより構成されている。一方、吸入グリル３０５側にある駆動メカ部３０６は、本体からの伝達を受けるギヤと、ギヤと同期する主軸とにより構成されており、その主軸を回転させることで吸込パネル３０４を駆動している。
【０００９】
つまり、駆動電源内部３０１のモータの駆動ギヤを通して、その動力を受け、吸込パネル３０４を駆動している。
【特許文献１】特開２００３−７４８９６号公報
【発明の開示】
【発明が解決しようとする課題】
【００１０】
しかしながら、上記従来の技術では、駆動メカ部３０６が吸込パネル３０４を支持する唯一の支持部となっている為、吸入グリル３０５が開かれると、吸入グリル３０５側に構成されている駆動ギヤも同時に引き上げられ、駆動伝達部３０７のギヤが駆動メカ部３０６に設けられたギヤと外れて吸込パネル３０４は支持を失い、重力により吸込パネル３０４は閉じられた状態となる。
【００１１】
例えば、ユーザーが運転時にフィルタ等の清掃のため、吸入グリル３０５を開くと、その上に構成されている吸込パネル３０４も同時に開かれる。そうすると吸込パネル３０４に固定されている駆動メカも同時に追従する為、駆動メカ部３０６に設けられたギヤは駆動源部３０１に設けられたギヤと外れてしまう。これにより再度吸入グリル３０５が閉じられても吸込パネル３０４は運転中にも関わらず閉まってしまうという課題があった。
【課題を解決するための手段】
【００１２】
前記従来の課題を解決するために本発明の空気調和機は、空気調和機本体に対して開閉自在に設けられた吸入グリルと、空気を吸い込むために吸入グリルの外側に開閉自在に設けられた吸込パネルと、吸入グリルの開閉を検出する吸入グリル開閉検出手段と、その吸入グリル開閉検出手段によって検出された吸入グリルの開閉状態に応じて吸込パネルを開閉する吸込パネル制御手段を備え、吸入グリル開閉検出手段によって吸入グリルが開状態から閉状態になったことを検知した時に、吸込パネル制御手段により吸込パネルを開くよう制御するようにしたものである。
【発明の効果】
【００１３】
本発明の空気調和機は、空気調和機の運転中に吸入グリルが開かれてギヤが外れた後、再度吸入グリルが閉じられた時に、吸込パネルを開くように吸込パネルを制御することにより、運転中に吸込パネルが閉じた状態になることを防止することができるので、運転中にあたかも停止しているかのような状態になることによるユーザーへの違和感を防止することができる。
【発明を実施するための最良の形態】
【００１４】
第１の発明は、空気調和機本体に対して開閉自在に設けられた吸入グリルと、空気を吸い込むために吸入グリルの外側に開閉自在に設けられた吸込パネルと、吸入グリルの開閉を検出する吸入グリル開閉検出手段と、その吸入グリル開閉検出手段によって検出された吸入グリルの開閉状態に応じて吸込パネルを開閉する吸込パネル制御手段を備え、吸入グリル開閉検出手段によって吸入グリルが開状態から閉状態になったことを検知した時に、吸込パネル制御手段により吸込パネルを開くように制御することにより、運転中に吸込パネルが閉じた状態になることを防止することができるので、運転中にあたかも停止しているかのような状態になることによるユーザーへの違和感を防止することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機の構成を示すブロック図である。空気調和機本体に対して開閉自在に設けた吸入グリル１と、空気を吸い込むために吸入グリル１の外側に開閉自在に設けた吸込パネル２と、吸入グリル１の開閉状態を検出するための吸入グリル開閉検出手段３と、吸込パネル２を開閉するための吸込パネル制御手段４により構成している。
【００１７】
図２は本発明の実施の形態１における吸入グリルの開閉検出手段によって検出された吸入グリルの開閉状態に応じた吸込パネルの動作を示すフローチャートである。吸入グリルが開状態から閉状態になったかどうか判断（ステップ１０）し、吸入グリルが開状態から閉状態になったのあれば、吸込パネルを開位置へ移動させる（ステップ１１）。これにより、空気調和機が運転中に吸込パネルが閉状態であることがなくなり、運転中にあたかも停止しているかのような状態になることによるユーザーへの違和感を防止することができる。
【図面の簡単な説明】
【００１８】
【図１】本発明の実施の形態１における空気調和機のブロック図
【図２】本発明の実施の形態１における吸込パネルの動作を示すフローチャート
【図３】従来の空気調和機の室内機の側面から見た断面図
【符号の説明】
【００１９】
１  吸入グリル
２  吸込パネル
３  吸入グリル開閉検出手段
４  吸込パネル制御手段
３０１  駆動源部
３０２  台枠
３０３  熱交換器
３０４  吸込パネル
３０５  吸入グリル
３０６  駆動メカ部
３０７  駆動伝達部
３０８  フィルタ
【図１】
2005257191.tif 000003
【図２】
2005257191.tif 000004
【図３】
2005257191.tif 000005